(57)【要約】【課題】必要な部品点数が少なく、セッティングを簡便に行うことができる自然気化式加湿器を提供する。【解決手段】水を収容する容器１と、表面布地３が吸水性布地からなるキャラクター人形などの形象物２と、容器１に収容された水に浸漬されて形象物２の表面布地３に水を供給するための紐状又は帯状の吸水部材７とを備え、形象物２は、その下端に開口し、かつ該下端から頂部の表面布地３ａに達する空洞５が設けられ、頂部の表面布地３ａ内面に吸水部材７の端部が結合され、空洞５に容器７が挿入されることにより、形象物２が容器１に被着されることを特徴とする。【選択図】図２
0003190549.tif 000002
【実用新案登録請求の範囲】
【請求項１】
水を収容する容器と、表面布地が吸水性布地からなるキャラクター人形などの形象物と、前記容器に収容された水に浸漬されて前記形象物の前記表面布地に水を供給するための紐状又は帯状の吸水部材とを備え、
前記形象物は、その下端に開口し、かつ該下端から頂部の前記表面布地に達する空洞が設けられ、
前記頂部の表面布地内面に前記吸水部材の端部が結合され、
前記空洞に前記容器が挿入されることにより、前記形象物が前記容器に被着されることを特徴とする自然気化式加湿器。
【請求項２】
前記形象物は、前記表面布地の内側に非吸水性の充填材を有していることを特徴とする請求項１記載の自然気化式加湿器。
【請求項３】
前記充填材の内側であって前記空洞の周面部は非吸水性布地からなることを特徴とする請求項２記載の自然気化式加湿器。
【請求項４】
水を収容する容器と、表面布地が吸水性布地で作られたキャラクター人形などの形象物と、前記容器に収容された水に浸漬されて前記形象物の前記表面布地に水を供給するための紐状又は帯状の吸水部材とを備え、
前記形象物は、その下端に開口し、かつ該下端から頂部の前記表面布地に達する空洞が設けられ、
前記容器に取り付けられるキャップに、前記吸水部材の上端部が前記キャップから突出するように設けられ、
前記空洞に前記容器が挿入されることにより、前記形象物が前記容器に被着されるとともに、前記吸水部材の上端部が前記頂部の表面布地内面に当接することを特徴とする自然気化式加湿器。
【請求項５】
前記形象物は、前記表面布地の内側に非吸水性の充填材を有していることを特徴とする請求項４記載の自然気化式加湿器。
【請求項６】
前記充填材の内側であって前記空洞の周面部は非吸水性布地からなることを特徴とする請求項５記載の自然気化式加湿器。
【請求項７】
前記形象物の表面布地及び前記吸水部材は、いずれもマイクロファイバー又はナノファイバーからなることを特徴とする請求項１〜６のいずれか１記載の自然気化式加湿器。
【請求項８】
請求項１〜７のいずれか１記載の自然気化式加湿器に用いる、キャラクター人形などの形象物であって、
表面布地が吸水性布地からなり、
その下端に開口し、かつ該下端から頂部の前記表面布地に達する空洞が設けられていることを特徴とする自然気化式加湿器に用いる形象物。
【考案の詳細な説明】
【技術分野】
【０００１】
この考案は、電気等の人工エネルギーを使用しない自然気化式の加湿器及びそれに用いる形象物に関する。
【背景技術】
【０００２】
近年、冬場における部屋の乾燥を防ぐための加湿器が普及している。一般に使用されている加湿器は、電気エネルギーを用いて強制的に水蒸気を発生させるものであることから、少なからずの電気料金が発生し、また完全に静穏状態を維持するものではない。
【０００３】
一方、タオル等の布地を水の入った容器に浸漬させると、毛細管現象により水が吸い上げられ、吸い上げられた水が気化することにより部屋の乾燥が防げるという現象は、よく知られている。このような現象を利用した加湿器として、特許文献１に記載のものが提案されている。
【０００４】
同文献に記載の加湿器は、「水補給器（１）の側面下方の一部に容器（２）の高さを超えない開口部（１ａ）を設け、該水補給器（１）を設置可能な、水を蓄える受け皿となる容器（２）と、水補給器（１）を覆うとともに周縁部が、上記受け皿の底部に達する大きさを有する吸水性部材（３）とからなり、吸水性部材と水補給器（１）は、その頂部（１ｂ）において固定可能な係止材（４）を双方又は片方に備えた簡易加湿器。」である。
【０００５】
しかしながら、上記加湿器は水補給器、受け皿となる容器及び吸水性部材の３つの部品を必要とし、部品点数が多く、したがって加湿器としてセットするのに簡便であるとはいえない。
【先行技術文献】
【特許文献】
【０００６】
【特許文献１】特許第４５４０００９号公報
【考案の概要】
【考案が解決しようとする課題】
【０００７】
この考案は上記のような技術的背景に基づいてなされたものであって、次の目的を達成するものである。
【０００８】
この考案の目的は、必要な部品点数が少なく、セッティングを簡便に行うことができ、しかも部屋の装飾効果を演出できる自然気化式加湿器を提供することにある。
【課題を解決するための手段】
【０００９】
この考案は上記課題を達成するために、次のような手段を採用している。
すなわち、この考案は、水を収容する容器と、表面布地が吸水性布地からなるキャラクター人形などの形象物と、前記容器に収容された水に浸漬されて前記形象物の前記表面布地に水を供給するための紐状又は帯状の吸水部材とを備え、
前記形象物は、その下端に開口し、かつ該下端から頂部の前記表面布地に達する空洞が設けられ、
前記頂部の表面布地内面に前記吸水部材の端部が結合され、
前記空洞に前記容器が挿入されることにより、前記形象物が前記容器に被着されることを特徴とする自然気化式加湿器にある。
【００１０】
上記自然気化式加湿器において、前記形象物は、前記表面布地の内側に非吸水性の充填材を有している構成を採用することができる。この場合、前記充填材の内側であって前記空洞の周面部は非吸水性布地からなる構成とすることが好ましい。
【００１１】
また、この考案は、水を収容する容器と、表面布地が吸水性布地で作られたキャラクター人形などの形象物と、前記容器に収容された水に浸漬されて前記形象物の前記表面布地に水を供給するための紐状又は帯状の吸水部材とを備え、
前記形象物は、その下端に開口し、かつ該下端から頂部の前記表面布地に達する空洞が設けられ、
前記容器に取り付けられるキャップに、前記吸水部材の上端部が前記キャップから突出するように設けられ、
前記空洞に前記容器が挿入されることにより、前記形象物が前記容器に被着されるとともに、前記吸水部材の上端部が前記頂部の表面布地内面に当接することを特徴とする自然気化式加湿器にある。
【００１２】
上記自然気化式加湿器において、前記形象物は、前記表面布地の内側に非吸水性の充填材を有している構成を採用することができる。この場合、前記充填材の内側であって前記空洞の周面部は非吸水性布地からなる構成とすることが好ましい。
【００１３】
また、上記自然気化式加湿器において、前記形象物の表面布地及び前記吸水部材は、いずれもマイクロファイバー又はナノファイバーからなる構成を採用することができる。
【００１４】
また、この考案は上記自然気化式加湿器に用いる、キャラクター人形などの形象物であって、
表面布地が吸水性布地からなり、
その下端に開口し、かつ該下端から頂部の前記表面布地に達する空洞が設けられていることを特徴とする自然気化式加湿器に用いる形象物にある。
【考案の効果】
【００１５】
この考案によれば、必要な部品点数が少なく、セッティングを簡便に行うことができ、しかも部屋の装飾効果を演出できる自然気化式加湿器を得ることができる。
【図面の簡単な説明】
【００１６】
【図１】この考案による自然気化式加湿器の第１実施形態を示す正面図である。
【図２】同実施形態のものの断面図である。
【図３】第２実施形態を示す断面図である。
【図４】第３実施形態を示す断面図である。
【図５】第４実施形態を示す断面図である。
【考案を実施するための形態】
【００１７】
この考案の実施形態を図面を参照しながら以下に説明する。図１、図２は、この考案による自然気化式加湿器（以下、単に加湿器という）の第１実施形態を示し、図１は正面図、図２は断面図である。加湿器は、水を収容する容器１と、形象物２とを備える。形象物２として、この実施形態ではキャラクター人形が示されている。形象物すなわちキャラクター人形２は、表面が布地３で作られ、その内側には充填物である中綿４が収容されている。
【００１８】
表面布地３としては、吸水性及び速乾性（すなわち気化しやすい）に優れたマイクロファイバーやナノファイバーが用いられている。一方、中綿４は非吸水性の繊維、例えばポリエステルが用いられている。充填物としては中綿に限らず、粒状又は球状の非吸水性樹脂、例えば発泡スチロールを用いてもよい。なお、図に示されるキャラクター人形２は、ライオンを模したものであるが、その「たてがみ」を模しているパイル１２も表面布地３と同じくマイクロファイバーやナノファイバーで作られる。
【００１９】
キャラクター人形２は胴部の下端が略平坦に作られ、このキャラクター人形２には下端に開口する空洞５が設けられている。この空洞５はキャラクター人形２における頂部の表面布地３ａの内面にまで達している。すなわち、キャラクター人形２の頂部は表面布地３ａのみで形成されている。一方、空洞５の周面部を規定する周面布地６は、中綿４と同様にポリエステルなどの非吸水性布地でできている。
【００２０】
キャラクター人形２における頂部の表面布地３ａの内面には、吸水部材としての吸水紐７の端部が縫い付けなどにより結合されている。この吸水紐７も吸水性に優れたマイクロファイバーやナノファイバーでできているが、アクリル繊維製のものとしてもよい。吸水部材は紐状のものに限らず、帯状のものであってもよい。また、吸水紐７は一本に限らず複数本設けるようにしてもよい。
【００２１】
水を収容する容器１としては、ペットボトルを用いるのが簡便である。もちろん、ペットボトルに限らず、ガラス瓶を用いてもよい。
【００２２】
上記加湿器は次のようにして使用される。容器１内に適宜深さまで水を入れる。そして、吸水紐７を容器１内の水に浸漬させながら、キャラクター人形２の空洞５に容器１を挿入し、キャラクター人形２を容器１に被着する。この考案による加湿器は、このように、簡単にセッティングをすることができる。
【００２３】
以上のようにして加湿器をセッティングすると、容器１内の水が毛細管現象により吸水紐７によって吸い上げられる。吸い上げられた水は、キャラクター人形２の頂部の表面布地３ａに浸みこみ、さらに毛細管現象によって表面布地３全体にゆきわたる。そして、表面布地３に浸み込んだ水は気化し、室内に湿気を与えることとなる。
【００２４】
図３は、この考案の第２実施形態を示す断面図である。この実施形態では、容器１に専用のキャップ８が取り付けられる。このキャップ８の頂板には複数の穴９が設けられ、これらの穴９に吸水紐７が通されている。吸水紐７の上端部は穴９よりも大きい膨大部１０が形成され（例えば吸水紐７に結び目を作ることにより形成できる）、この膨大部１０は穴９の周縁に係止している。また、この実施形態ではキャラクター人形２における頂部の表面布地３ａの内面に、表面布地３ａと同様の布地からなる複数枚の当て布１１が縫い付け等により結合されている。
【００２５】
この実施形態の場合、吸水紐７の上端部の膨大部１０が当て布１０に当接するように、容器１がキャラクター人形２の空洞５に挿入される。吸水紐７によって吸い上げられた水は、膨大部１０及び当て布１１を通って、表面布地３ａに浸み込む。表面布地３ａに浸み込んだ水が、その後、表面布地３全体にゆきわたる点は上記実施形態と同様である。この実施形態の場合、吸水紐７の取付け本数を変えることができ、室内の湿度に応じてキャラクター人形２からの気化水量を調整することができる。また、頂部の表面布地３ａが当て布１０によって補強されているので、容器１を空洞５に強く押し込んでも表面布地３ａが破れることはない。
【００２６】
キャラクター人形２として、その表面布地３の内側に充填される中綿４は必ずしも設けなくてもよく、あるいは一部にのみ充填してもよい。図４に示す第３実施形態は、中綿のないキャラクター人形の例である。また、図５に示す第４実施形態は一部にのみ中綿４を充填したキャラクター人形２の例である。この第４実施形態の場合、中綿４の内側の布地は非吸水性布地６からなっている。
【００２７】
なお、これらの第３、第４実施形態において、吸水紐７は、容器１のキャップ８に取り付ける方式（第２実施形態で示した）が示されているが、吸水紐７は頂部の表面布地３ａに縫い付けにより結合する方式（第１実施形態で示した）を採用してもよい。
【００２８】
上記各実施形態は例示にすぎず、この考案は種々の態様を採ることができる。例えば、形象物はキャラクター人形にかぎらず、植物を模したもの、建造物を模したもの等、種々の形状とすることができる。
【符号の説明】
【００２９】
１      容器
２      キャラクター人形（形象物）
３      表面布地
３ａ    頂部の表面布地
４      中綿（充填材）
６      空洞の周面布地
７      吸水紐（吸水部材）
８      キャップ
９      穴
１０      膨大部
１１      当て布
【図１】
0003190549.tif 000003
【図２】
0003190549.tif 000004
【図３】
0003190549.tif 000005
【図４】
0003190549.tif 000006
【図５】
0003190549.tif 000007